(57)【要約】      （修正有）【課題】プランジャー内室に予め収容された薬液が、空輸中の保管室での気温、気圧の変動、輸送中の気温、振動、揺れなどによって漏出しない安価な注射器を提供する。【解決手段】内室11に薬液が予め収容されたプランジャー6と、該プランジャー6を内腔に内挿しうるシリンジ外筒5とからなり、プランジャー6は、先端にシリンジ外筒5の内腔面に摺動可能なガスケット3が装着され、後端に薬液収容時には密閉され使用時には開放される通気孔7が設けられてなり、シリンジ外筒5は、先端に注射針取付部2を備え後端が開放されてなる薬液充填式注射器であって、ガスケット3は、シリンジ外筒5側からプランジャー内室11側への薬液の流通を阻害しうる逆止弁4が備えられ、シリンジ外筒5の先端内面を圧接してなる薬液充填式注射器である。【選択図】図１
0003129126.tif 000002
【実用新案登録請求の範囲】
【請求項１】
内室に薬液が予め収容されたプランジャーと、該プランジャーを内腔に内挿しうるシリンジ外筒とからなり、前記プランジャーは、先端に前記シリンジ外筒の内腔面に摺動可能なガスケットが装着され、後端に薬液収容時には密閉され使用時には開放される通気孔が設けられてなり、前記シリンジ外筒は、先端に注射針取付部を備え後端が開放されてなる薬液充填式注射器であって、前記ガスケットは、前記シリンジ外筒側から前記プランジャー内室側への薬液の流通を阻害しうる逆止弁が備えられ、前記シリンジ外筒の先端内面を圧接してなる薬液充填式注射器。
【請求項２】
前記プランジャーの後端と前記シリンジ外筒の後端は着脱自在なキャップで密閉固定されてなる請求項１記載の薬液充填式注射器。
【考案の詳細な説明】
【技術分野】
【０００１】
本考案は、予め薬液が収容された薬液充填式注射器に関し、詳しくはプランジャー内室に予め収容された薬液を、使用時にシリンジ外筒に移行させ、患者に薬液を投与する薬液充填式注射器に関する。
【背景技術】
【０００２】
予め注射器内に薬液を密封しておき、使用時に注射針を接続する側の密封を解除して注射針を接続し、薬液を患者に投与できるようにした薬液充填式注射器、いわゆるプレフィールドシリンジについては、特公昭56―64号公報をはじめ古くから多くの特許が提案されているが、いずれも一長一短があり、未だに満足すべきものは得られていない。
【０００３】
プレフィールドシリンジは、緊急時における簡便性から軍需用、地震、津波などの災害時の救命、救急用など緊急を要する場合に使用され、常に緊急空輸されている。すなわち、プレフィールドシリンジは空輸で現地に輸送されるが、空輸の場合、地上での輸送の際に注意すべき振動、揺れ、気温の変動のほかに、気圧の変動によってプレフィールドシリンジに収容される薬液が漏出する問題が発生した。
【０００４】
本考案者は、以前、先端に逆止弁機能を有するガスケットを備えたプランジャーの内室に薬液を充填し、使用時にプランジャーを後方に移動させることによってシリンジ外筒内部を真空にし、プランジャー内室の薬液をシリンジ外筒内腔に移行させる。次いで、シリンジ外筒先端に取り付けられたキャップを外して注射針を取り付け、プランジャーを前方に移動させることによって薬液を患者に投与する注射器を特許提案したことがある。
【特許文献１】特公昭56―64号公報
【考案の開示】
【考案が解決しようとする課題】
【０００５】
しかしながら、この注射器は、空輸中の保管室での気温、気圧の変動、輸送中の気温、振動、揺れなどによってプランジャーとシリンジ外筒とをしっかりと固定していても薬液が漏出することがあり、薬液を長期間プランジャー内室に保存するには、なお解決すべき問題点があったために実用化されるにいたらなかった。
本考案者は、既に本考案者自身提案した注射針の課題を解決するために種々検討した結果、逆止弁とシリンジ内部に空間があると気温、気圧の変動で薬液が漏出することがあることを見出し本考案に到達した。
本考案の目的は、プランジャー内室に予め収容された薬液が、空輸中の保管室での気温、気圧の変動、輸送中の気温、振動、揺れなどによって漏出しない安価な注射器を提供することである。
【課題を解決するための手段】
【０００６】
すなわち、本考案は内室に薬液が予め収容されたプランジャーと、該プラン
ジャーを内腔に内挿しうるシリンジ外筒とからなり、前記プランジャーは、先端に前記シリンジ外筒の内腔面に摺動可能なガスケットが装着され、後端に薬液収容時には密閉され使用時には開放される通気孔が設けられてなり、前記シリンジ外筒は、先端に注射針取付部を備え後端が開放されてなる薬液充填式注射器であって、前記ガスケットは、前記シリンジ外筒側から前記プランジャー内室側への薬液の流通を阻害しうる逆止弁が備えられ、前記シリンジ外筒の先端内面を圧接してなる薬液充填式注射器である。
また、本考案は、前記薬液充填式注射器において、前記プランジャーの後端と前記シリンジ外筒の後端は着脱自在なキャップで密閉固定されてなる薬液充填式注射器である。
【考案の効果】
【０００７】
本考案薬液充填式注射器は、プランジャーの先端にシリンジ外筒側からプランジャー内室側への薬液の流通を阻害しうる逆止弁機能が備えられたガスケットが装着されてシリンジ外筒先端内面を圧接し、プランジャーの後端は着脱自在なキャップでシリンジ外筒の後端と密閉固定されているので、プランジャー内室に収容された薬液は、輸送時、保管時に漏出しにくい。
【０００８】
かつ、使用時にはシリンジ外筒の後端に装着されたキャップを除去し、プランジャーを後方に引き薬液をシリンジ内筒に移動させた後、シリンジ外筒の先端に装着されたキャップを除去して注射針を付け替え、プランジャーを前方に移動させるだけで薬液を患者に注入できるので、薬液投与作業が容易で確実に行うことができる。しかも、注射器製造における部品個数も少なく、製造工程も簡便である。更に、薬液漏出防止のための特別な包装部材も必要ないので、低い製造コストで注射器を製造することができる。
【考案を実施するための最良の形態】
【０００９】
以下、図面にて本考案実施の一例を説明する。
図１は、本考案薬液充填式注射器の一例を示す断面図である。薬液充填式注射器100は、シリンジ外筒５の内腔にプランジャー６が内挿されてなる。シリンジ外筒５は、先端が開口するとともに先端に向かってテーパー状となっている注射針取付部であるノズル２にキャップ１が装着されて先端開口部12が密閉される。シリンジ外筒５の後端は開放されてなり、その外周にはプランジャー後端に設けられたフランジ14と同じ外径を有するフランジ13が設けられている。
【００１０】
一方、プランジャー６は、図３のプランジャー300の断面図に示すように、先端にシリンジ外筒５の内壁を前後に摺動するガスケット３が取付けられ、後端は通気孔７を有するフランジ14で閉鎖される。ガスケット３は、シリンジ外筒５側からプランジャー内室11側への薬液の流通を阻害する逆止弁４が備えられてなる。逆止弁機能が備えられたガスケット３は、図１に示すシリンジ外筒５の先端内面15に圧接され、逆止弁４とシリンジ外筒５の先端内面15とが隙間なく密封されて設置されるのが好ましい。シリンジ外筒５のフランジ13とプランジャー６のフランジ14は、着脱自在なキャップ８で通気孔７を密封しフランジ13と14を一体的に密閉固定すると同時に逆止弁機能が備えられたガスケット３をシリンジ外筒５の先端内面15に圧接する。その結果、プランジャー内室11に収容された薬液は外部に漏出するのが防止される。
【００１１】
シリンジ外筒５およびプランジャー６は、ポリプロピレン、ポリエチレンなどのプラスチック、もしくはガラスなどの透明もしくは半透明材料からなる筒状体であるのが好ましい。ガスケット３は、ブチルゴム、ラテックスゴム、シリコーンゴムなどのゴム状弾性体、ＳＢＳエラストマー、ＳＥＢＳエラストマー、ポリオレフィンエラストマーなどのエラストマー材料が好ましい。逆止弁4としては、ダックビル弁、傘弁、フラップ弁、ポペット弁、ボ−ル弁等が使用され、特にダックビル弁が好ましい。また、キャップ１および９は硬質のプラスチック、キャップ８はゴム状弾性体、ポリ塩化ビニルなどのプラスチックが好ましい。
【００１２】
プランジャー内室への薬液の注入は種々の方法で行うことができるが、無菌管理上、薬液は図３のプランジャー6の内室11に、プランジャー６の後端側のフランジ14に形成された通気孔７から注入された後、キャップ８で密封固定されるのが好ましい。内室11に薬液が収容されたプランジャー６は、図１のシリンジ外筒５の内腔に、逆止弁機能を有するガスケット３の先端がノズル２の内面を圧接するように内挿される。後端側のフランジ14はシリンジ外筒５のフランジ13と密接されキャップ８によって嵌着される。キャップ８は、図1に示すように通気孔７をも密封するように形成されていなければならない。プランジャー６の内室11に収容された薬液は、シリンジ外筒５の先端ノズル２の開口部12もキャップ１で密閉され、輸送時、保管時に内室11から漏出する危険が防止される。
【００１３】
プランジャー６の内室11に薬液が収容された薬液充填式注射器は、キャップ14を取除き、プランジャー６を後方に移動させる。プランジャー６の先端に取付けられたガスケット３がシリンジ外筒５の内面を摺動しながら後方に移動することによって、シリンジ外筒５の内腔は減圧され、プランジャー６の内室11に収容された薬液が逆止弁４の口部からシリンジ外筒５の内腔に移動する。次いで、キャップ１を取除き、注射針をノズル２に取付ける。注射針を患者に穿刺し、後方に移動しているプランジャー６を前方に押圧することによって、シリンジ外筒５の内腔に充填された薬液は、注射針を経て患者に注入される。
【００１４】
図２は、注射針が取り付けられた薬液充填式注射器の断面図である。薬液充填式注射器200は、図1の薬液充填式注射器100のノズル２に、最初から注射針10が接着され、ノズル２にキャップ９が装着されて注射針10の先端開口部が密閉された構造であり、キャップ９を除去するだけで薬液を患者に穿刺することができる。そのために、図１の薬液充填式注射器のようなキャップ１を取除き代わりに注射針をノズル２に取付ける注射針装着操作を省略することができる。
【図面の簡単な説明】
【００１５】
【図１】本考案薬液充填式注射器の一例を示す断面図
【図２】注射針が取り付けられた薬液充填式注射器の断面図
【図３】図１の薬液充填式注射器で使用されるプランジャーの断面図
【符号の説明】
【００１６】
１、８、９                キャップ
２                        ノズル
３                        ガスケット
４                        逆止弁
５                        シリンジ外筒
６                        プランジャー
７                        通気孔
10                        注射針
11                        プランジャー内室
12                        ノズル開口部
13                        シリンジ外筒のフランジ
14                        プランジャーのフランジ  
15                          シリンジ外筒の先端内面
【図１】
0003129126.tif 000003
【図２】
0003129126.tif 000004
【図３】
0003129126.tif 000005